(57)【特許請求の範囲】
【請求項１】
取っ手の一端にブラシを有するブラシ棒を備えたマスカラブラシであって、ブラシ棒はマスカラ容器に挿入されており、ここで、ブラシ１４０は、マスカラ容器２００から引き出され、電流を、ブラシの毛１４４を有するブラシ基材１４２と接触している２種の金属体に流し、次いで、２種の金属体の異なる熱膨張によりブラシを一方側の方向に折り曲げる、前記マスカラブラシ。
【請求項２】
取っ手の一方側に設けられたブラシ１４０が、異なる熱膨張係数を有する第一のプレート１６２および第二のプレート１６４を含む操作部材１６０ならびに操作部材１６０の外部にきつく閉じ込まれたブラシの毛１４４を有するブラシ基材１４２を含む、請求項１に記載のマスカラブラシ。
【請求項３】
ボタン１５１が、取っ手１００の上部上に設けられ；スイッチ１５２、端子ａ、バッテリー１５３、端子ｂおよびｃならびに差し込み端子ａ１およびｂ１が、連続してボタン１５１の真下に連結され；第一のプレート１６２を差し込み端子ａ１に電気的に接続するための電線ａ２および第二のプレート１６４を差し込み端子ｂ１に電気的に接続するための電線ｂ２が、ブラシ棒１２２の内部に取り付けられている、請求項１または２に記載のマスカラブラシ。
【請求項４】
ブラシ１４０のブラシ基材１４２が、ブラシ棒１２２および操作部材ホルダー１６６と連結している、請求項１または２に記載のマスカラブラシ。
【請求項５】
操作部材ホルダー１６６が、セラミックスから形成される、請求項４に記載のマスカラブラシ。
【発明の詳細な説明】
【技術分野】
【０００１】
本発明は、マスカラブラシに、特に、塗布されるマスカラ材料でまつ毛を立ち上げることによるまつ毛のボリュームアップおよびカールを達成することができるマスカラブラシに関し、ここで、マスカラブラシは、マスカラ容器から引き出され、取っ手上のボタンが押され、次いでブラシはブラシ基材内の操作部材により弧状形に折り曲げられ、マスカラ棒に付着したマスカラ材料が目または鼻の周辺部を汚すことを防ぎ、それによって、簡便な使用を提供する。
【背景技術】
【０００２】
まつ毛のためのメイクアップは、通常、目を装飾してより美しい顔を作り出すために使用される。まつ毛のメイクアップに使用される代表的な道具は、マスカラである。マスカラは、まつ毛専用の化粧品であり、ボリュームがあって長いまつ毛を作り出すためにまつ毛に塗布され、マスカラブラシおよびそれに付着したマスカラ材料と共に使用される。すなわち、マスカラブラシを使用してまつ毛をメイクアップする際に、マスカラ材料がマスカラブラシに付着し、付着したマスカラ材料が、まつ毛をまとめて立ち上げることによりまつ毛にむらなく塗布される。マスカラ材料のまつ毛への塗布およびまつ毛の立ち上げにより、まつ毛のメイクアップがより美しくなる。よって、マスカラブラシは、マスカラ材料をまつ毛に塗布するためおよびボリュームのあるまつ毛にカールするために使用される。
【０００３】
一般的には、マスカラブラシは、マスカラ材料を含有する容器のキャップと一体化し、キャップは取っ手としての機能を果たし、ブラシはキャップの一端に連結した直線状のブラシ棒の末端部に設けられる。
キャップ一体化マスカラブラシにおいて、マスカラブラシが、容器を閉じることによりキャップで密封される際に、ブラシおよびブラシ棒は、マスカラ材料中に浸される。したがって、図１に示すように、かかるマスカラブラシを使用してまつ毛をメイクアップする際に、マスカラ棒に付着したマスカラ材料が、顔を、特に目または鼻の周辺部を汚し得るという問題がある。
さらに、マスカラブラシ１は、一般に直線形として形成される；しかしながら、かかる直線状ブラシは、カーブしたまつ毛をカールするのに不適であり得る。
【発明の概要】
【０００４】
本発明は、上記の問題を解決するために発明された。本発明の目的は、マスカラ棒に付着したマスカラ材料が目または鼻の周辺部を汚すことを防ぎ、それによって、簡便な使用を提供するために、ブラシ棒から弧状形に折り曲げることのできるブラシを有するマスカラブラシを提供することである。
【０００５】
上記の目的を達成するために、本発明によれば、取っ手の一端にブラシを有するブラシ棒を備えたマスカラブラシが提供され、ブラシ棒は、マスカラ容器中に挿入され、ここで、ブラシは、マスカラ容器から引き出された後に弧状形に折り曲げられ；取っ手の一端に設けられたブラシには、異なる熱膨張係数を有する第一のプレートおよび第二のプレートを含む操作部材ならびに操作部材の外部にきつく閉じ込まれた、ブラシの毛を有するブラシ基材が含まれ；取っ手の上部にボタンが備えられ、スイッチ、端子、バッテリー、端子および内部端子が、連続してボタン真下の内部に連結し；それぞれ第一および第二のプレートを、内部端子に電気的に接続させる電線が、ブラシ棒の内部に取り付けられている。
【０００６】
上述のように、本発明のマスカラブラシは、マスカラ棒に付着したマスカラ材料が、目または鼻の周辺部を汚すことを防ぐことができ、ここで、マスカラブラシは、マスカラ容器から引き出され、取っ手の上部のボタンを押して、次いでブラシはブラシ基材内の操作部材により弧状形に折り曲げられ、それによって、簡便な使用を提供する。
【図面の簡単な説明】
【０００７】
【図１】図１は、使用中の一般的なマスカラブラシの構造を示す正面図である。
【図２】図２は、本発明のマスカラブラシを示す透視図であり、取っ手は容器から分離されている。
【図３】図３は、図２の断面図であり、取っ手は容器に連結している。
【図４】図４は、本発明の取っ手の断面図である。
【図５】図５は、本発明のブラシが弧状形に折り曲げられた断面図である。
【図６】図６は、使用中の本発明のマスカラブラシを示す。
【０００８】
発明を実施するための形態
本明細書中で使用される用語および単語の解釈は、当該技術分野におけるそれらの一般的な意味に限られるが、それらを、発明者自身の発明を最適に説明するために発明者が用語の概念を適切に定義することができるという規則に基づき、本発明の精神に一致する、あらゆる意味および概念として理解してもよい。
これ以降において、本発明の種々の態様を、添付の図面を参照して詳細に記載する。
【０００９】
まず第一に、本発明のマスカラブラシを図２および３に示す。マスカラブラシの本体Ｍは、外側キャップ１１０、内側キャップ１２０、ボタンキャップ１３０、ブラシ１４０、制御部材１５０および操作部材１６０を含む取っ手１００ならびに容器２００からなる。
外側キャップ１１０は、上部および下部が開放された中空の円筒体として形成される。スクリュー部材は、外側キャップ１１０の上側部分の外側周辺部表面上に形成され、ボタンキャップ１３０は、連結するかまたはスクリュー部材により分離され、スイッチホルダー１５２ａ、バッテリーホルダー１５３ａおよび内側キャップ１２０は、連続して内部に連結する。
【００１０】
内側キャップ１２０は、下側部分の内側周辺部表面上に形成されたスクリュー部材を有し、これは、容器２００の口部分の外側周辺部表面上に形成されたスクリュー部材に対応する。内側キャップ１２０および容器２００は、連結するかまたはスクリュー部材により分離される。また、中隔は、内側キャップ１２０の中心部に形成され、ブラシ棒１２２は、中隔の下側部分に形成され、端子パッキング（terminal packing）１５５は、中隔の上側部分で連結する。
【００１１】
ブラシ棒１２２は、一端が内側キャップ１２０の中隔の中心部中にしっかりと挿入されていてもよいか、または内側キャップ１２０と一体化していてもよい、中空の棒体として形成される。操作部材ホルダー１６６およびブラシの毛１４４を有するブラシ基材１４２は、連続してブラシ棒１２２の末端部に連結する。
ボタンキャップ１３０は、下部のみが開放された中空の円筒体として形成される。ボタン１５１は、ボタンキャップ１３０の上側表面の中心部で連結し、スクリュー部材は、下側部分の内側周辺部表面上に形成され、これは、外側キャップ１１０の上側周辺部表面上に形成されるスクリュー部材に対応する。
【００１２】
ブラシ１４０は、柔軟特性、弾力特性および絶縁特性を有し、ブラシの毛１４４は、開放された一端を有するチューブ型であるブラシ基材１４４に植え付けられているという形をしている。ブラシ基材は、柔軟で弾力性があり、シリコーンまたは弾性ポリマー、例えばエラストマーで形成されていてもよい。ブラシの毛１４４は、ブラシ基材１４２中に植え付けられていてもよく、またはそれらは、ブラシの毛がブラシ基材と同じ材料であってもよいブラシ基材１４２と一体化していてもよい。
【００１３】
操作部材１６０、第一のプレート１６２および第二のプレート１６４は、ブラシ基材１４２の内部に挿入されている。
操作部材１６０を駆動する制御部材１５０には、ボタン１５１の真下のスイッチホルダー１５２ａに埋め込まれたスイッチ１５２、バッテリーホルダー１５３ａの内部に挿入されたバッテリー１５３、端子（ａ、ｂ、ｃ）、差し込み端子（ａ１、ｂ１）および電線（ａ２、ｂ２、ｂ３）が含まれる。
【００１４】
端子は、バッテリー１５３の＋端子およびスイッチホルダー１５２ａの下部の間に位置する。端子ｂは、端子パッキング１５５の土台上で差し込み端子ａ１に接続し、端子ｂの上側部分は、バッテリー１５３の端子に位置する。端子ｃは、端子パッキング１５５の土台上で差し込み端子ｂ１に接続し、端子ｃの一端は、スイッチ１５２に接続している線ｂ３に接続している。
差し込み端子ａ１は、第一のプレート１６２に、ブラシ棒１２２の内部に取り付けられた線ａ２を通って電気的に接続し、差し込み端子ｂ１は、第二のプレート１６４に、ブラシ棒１２２の内部に取り付けられた線ｂ２を通って電気的に接続している。
【００１５】
すなわち、ボタン１５１が押されると、バッテリー１５３の電流が、スイッチ１５２により、端子ａ→端子ｂ→差し込み端子ａ１→線ａ２→第一のプレート１６２→第二のプレート１６４→線ｂ２→差し込み端子ｂ１→端子ｃ→線ｂ３の経路を介して、第一のプレート１６２および第二のプレート１６４中に流れる。
操作部材１６０は、ブラシ基材１４２の内部に位置し、ブラシ基材１４２は、ブラシ棒１２２に連結した操作部材ホルダー１６６の下側端部で連結する。
操作部材ホルダー１６６は、操作部材１６０からの熱を吸収するセラミックスから形成されていてもよく、その熱を第一のプレート１６２および第二のプレート１６４に供給してもよい。
【００１６】
操作部材１６０は、薄い金属プレートの第一のプレート１６２および第二のプレート１６４と一体化し、ここで、第一および第二のプレート１６２、１６４は、左および右側において、操作部材と垂直に重ね合わされている。この場合において、第一のプレート１６２は、線ａ２を介して差し込み端子ａ１に接続し、第二のプレート１６４は、線ｂ２を介して差し込み端子ｂ１に接続している。
【００１７】
操作部材１６０の第一のプレート１６２および第二のプレート１６４は、異なる熱膨張係数を有する２つのタイプの金属から形成されている。第一のプレート１６２は、加熱条件下で高い熱膨張率を有する金属（例えば、ニッケル＋マンガン＋鉄またはニッケル＋マンガン＋銅またはニッケル＋モリブデン＋鉄である）から形成され、第二のプレート１６４は、低い熱膨張率を有する金属（例えば、ニッケル＋鉄またはニッケル＋銅である）から形成される。ボタン１５１が押されると、第一および第二のプレート１６２、１６４は、バッテリー１５３の電流からの熱により第二のプレートの方向に弧状形で折れ曲がる。
【００１８】
容器２００は、長尺状円筒形として形成される。容器２００の上部口部分は、パッキング２０１と連結し、容器２００の内部は、マスカラ材料で充填されている。また、取っ手１００のブラシ棒１２２およびブラシ１４０は、容器２００の内部で受け入れられる。
このように構成されたマスカラブラシは、取っ手１００の向きを変えて開けることによりマスカラ容器２００から引き出される。
【００１９】
引き出されたマスカラブラシの場合において、マスカラ材料は、本体Ｍのブラシ１４０に付着している（マスカラ材料は示していない）。したがって、マスカラブラシを使用してまつ毛を直接メイクアップすることができる。しかしながら、前述したように、ブラシ１４０およびブラシ棒１２２が図４に示すように一直線上にある場合には、ブラシ棒１２２に付着したマスカラ材料は目の周辺部を汚し、マスカラブラシはそのまま使用されない。
本発明によれば、マスカラブラシ１４０が、マスカラ容器２００から引き出された後、取っ手１００上のボタン１５１が押されると、次いで、ブラシ１４０は、図５に示すように弧状形に折り曲げられる。
【００２０】
すなわち、取っ手１００上のボタン１５１が押されると、バッテリー１５３の電流が、スイッチ１５２により、端子ａ→端子ｂ→差し込み端子ａ１→線ａ２→第一のプレート１６２→第二のプレート１６４→線ｂ２→差し込み端子ｂ１→端子ｃ→線ｂ３の経路を介して、第一のプレート１６２および第二のプレート１６４中に流れ、第一および第二のプレート１６２、１６４は、バッテリー１５３の電流からの熱により第二のプレート１６４の方向に弧状形に折り曲げられる。結果として、第一および第二のプレート１６２、１６４の外部を閉じ込んだ柔軟なブラシ基材１４２は、ブラシ棒１２２の末端部上の中心部で弧状形に折れ曲がる。
【００２１】
よって、図６に示すように、まつ毛を、弧状形に折れ曲がったブラシ１４０を使用してまつ毛をカールさせることによりメイクアップしてもよい。本発明のマスカラブラシの場合には、ブラシ棒１２２を、目の周辺部から離して扱う。したがって、ブラシ棒１２２が、目の周辺部と接触しないため、ブラシ棒１２２の外部に付着したマスカラ材料が顔を汚すことを防ぐことが可能である。
【００２２】
マスカラブラシの使用後、ボタン１５１が押されると、バッテリー１５３の電流が切断され、弧状形に折れ曲がった操作部材１６０は、その本来の形に戻る。この逆の機構は、当業者に十分理解されるように、上記の逆の動作を行うことにより進行するため、これについての詳細な説明を割愛する。
【００２３】
本発明の原理を例示する態様に関して記載してきたが、本発明は、上記に記載して示した、これらの構成および機能に限定されてはならない。当業者には、添付の特許請求の範囲の範囲および精神から逸脱せずに、種々の修正および変法がなされ得ることが十分理解されるであろう。そして、当然のことながら、かかる修正および変法ならびにそれらの均等物は、本発明の範囲内にある。
【符号の説明】
【００２４】
１００：取っ手
１１０：外側キャップ
１２０：内側キャップ
１２２：ブラシ棒
１３０：ボタンキャップ
１４０：ブラシ
１４２：ブラシ基材
１４４：ブラシの毛
１５０：制御部材
１５１：ボタン
１５２：スイッチ
１５２ａ：スイッチホルダー
１５３：バッテリー
１５３ａ：バッテリーホルダー
１５４：端子ホルダー
１５５：端子パッキング
１６０：操作部材
１６２：第一のプレート
１６４：第二のプレート
１６６：操作部材ホルダー
２００：容器
２０１：パッキング
ａ、ｂ、ｃ：端子
ａ１、ｂ１：差し込み端子
ａ２、ｂ２、ｂ３：電線
【図１】
0005555804.tif 000002
【図２】
0005555804.tif 000003
【図３】
0005555804.tif 000004
【図４】
0005555804.tif 000005
【図５】
0005555804.tif 000006
【図６】
0005555804.tif 000007